(57)【要約】【課題】介助者の不足などの問題で中々単独で外出できなかった、車椅子を通常生活の必需品として利用する障害者や高齢者の排泄時の問題を解決し、単独での用便を可能にした洗浄トイレ付車椅子を提供して、単独での外出や社会参加を支援する。【解決手段】便座下部に洗浄水タンク及び汚物タンク並びにブロワファンを設け、汚物タンクと配管で接続した排便口下部に攪拌装置を装着し、吸気管を汚物タンク上部に取付けたブロワファンの排気管を攪拌装置に接続し、オゾン発生器で発生させたオゾンをブロワファン内に散気させて、空気の循環系内の消臭及び殺菌を行うと共に、用便後は汚物を水洗浄し、便流部側面に設けた洗浄パイプより洗浄水あるいは乾燥風を吹き出して局部の洗浄・乾燥を行う。【選択図】図１
2009090071.tif 000002
【特許請求の範囲】
【請求項１】
座面の下部に水洗式のポータブル型トイレを装着した車椅子に於いて、便座下部に洗浄水タンク及びカートリッジタンクを有する汚物タンク並びにブロワを設け、便座中央部に設けた便流部の排便口と汚物タンクとを配管で接続し、また汚物タンク上部に設けた吸気管をブロワファンに連結し当該ブロワファンの排気管を排便口下側に連結して空気の循環系を構築し、これにより汚物タンク内に負圧を生じさせ、排泄物や水混合物を当該タンク内に吸引可能に構成したことを特長とする洗浄トイレ付き車椅子。
【請求項２】
排便口下部の配管に攪拌装置を装着し、ブロワファンの排気管を攪拌装置に接続したことを特長とする請求項１記載の洗浄トイレ付き車椅子。
【請求項３】
本体内にオゾン発生器を装着し、発生させたオゾンをブロワファン内に散気させて、空気の循環系内の消臭及び殺菌を行うことを特長とする請求項１及び２記載の洗浄トイレ付き車椅子。
【請求項４】
便流部側面に設けた洗浄管より洗浄水乃至乾燥風を吹き出して用便後の局部の洗浄・乾燥を行う事を特長とする請求項１乃至請求項３記載の洗浄トイレ付き車椅子。
【請求項５】
洗浄水タンク内にオゾンを曝気してオゾン水を生成し、当該オゾン水で便流部及び局部の洗浄殺菌を行うことを特長とする請求項１乃至請求項４記載の洗浄トイレ付き車椅子。
【発明の詳細な説明】
【技術分野】
【０００１】  本発明は洗浄装置を有するポータブルトイレを取付けた車椅子に関する。
【背景技術】
【０００２】  日頃より車椅子（電動式の車椅子を含む）を移動手段のみならず通常生活の必需品として利用する障害者、あるいは高齢者などの用便には、排便や排尿だけではなくそれらの後始末も必要なので、清潔を保つのには十分な介助が必要とされている。【０００３】  ところがこの介助を行う家族やヘルパーなど介助者にとって、用便介助はかなりの肉体的労力を要し、また排泄物を間近に取り扱う事もあって非常に大きな精神的・肉体的負担が伴うのが常である。【０００４】  それだけではなく介助を受ける側の障害者や高齢者にとっても局部を他人の目に晒す、あるいは清浄を他人に委ねなければいけないなど精神的な負担が大きく、時には身体的な苦痛を覚えることも多い。【０００５】  ところで、最近のように障害を持つ人々が社会活動やスポーツなどの分野で活躍する場面も多くなればなる程、自由に外出し様々な活動を望む障害者や高齢者が増加してくるのは好ましいことである。【０００６】  しかしながら現実にはそれら障害を持った人々を十分に支援する体制がまだ十分には整っておらず、不便さに甘んじているのが現状である。【０００７】  特に排泄に関しては切実な問題でありながら十分な数の介護者が確保できず、また介助なしでも清潔な状態での排泄を行える設備も乏しいので、障害者や高齢者など用便に不自由を来す人たちにとっては自由な外出の障壁となっている。【０００８】  近年整備されつつある車椅子で利用できるトイレも、必要十分な機能が備わっているものは少なく、その使用に於いても未だに人の手による介助を必要とする物が多い。【０００９】  本発明は上述したように、外出を希望する障害者や高齢者の人たちにとり一番の懸念材料である外出時の排泄に掛かる不安や不便さを解消する、洗浄機能の付いたトイレを装着した車椅子を提供することを目的とする。
【発明の開示】
【発明が解決しようとする課題】
【００１０】  簡易型の便器を取付けた車椅子やトイレ機能を付加した車椅子は様々な物が開発され、また使用されているが、そのほとんどが座面にあらかじめ通常の便器様のものを用いているため座り心地が悪く、また臭気対策や衛生対策に欠ける物が多く、また実用一点張りでプライバシーを重要視していない物もあって、決して障害者や高齢者さらには介護者を考慮したものに仕上がっていないという現状がある。【００１１】  ところで、着衣に於いては特許第３７５７２４４号や登録実用新案第３１０４７３３号をはじめとして、用便の度に脱ぎ着をせずとも用が足せるものが発明され実用に供されており、使用者のプライバシーや体裁を守れるようになって来ている。【００１２】  本発明は上述のような衣服を着用する事を前提として、衛生的で清潔性にも優れる上に臭気対策等使用者の周辺にも配慮した洗浄トイレ付車椅子を提供することを目的とする。
【課題を解決するための手段】
【００１３】  本発明は上述した従来品の問題を解決するための手段として以下のような方法を用いている。【００１４】  車椅子の座面に便座を設け、当該便座中央部に便流部を取付けて水流により排便後の汚物を洗浄する。【００１５】  便流部側面に設けた洗浄管より適宜洗浄水あるいは乾燥風を吹き出して排便後の局部の洗浄・乾燥を行う。【００１６】  排便口と攪拌装置とを接続し、流された汚物を直ちに攪拌装置で攪拌し細粒化する。【００１７】  汚物タンクに設けた吸気管をブロワファンに連結し、当該ブロワファンの排気管を攪拌装置に連結して汚物タンクを負圧にし、圧力差により汚物をタンクに誘引する。【００１８】  オゾンをブロワファン内部に散気し、攪拌装置及び汚物タンクを消臭すると共に、オゾンを洗浄水タンク内に曝気して洗浄水をオゾン水化する。
【発明の効果】
【００１９】  車椅子（電動式の車椅子を含む）を通常生活の必需品として利用する障害者、あるいは高齢者が本発明に掛かる洗浄トイレ付き車椅子を使用すると、以下に述べるごとくの恩恵を得ることが出来る。【００２０】  まず、本洗浄トイレ付車椅子では介助者に頼らず自力で用を足すことが出来る。【００２１】  続いて用便後の拭き取りや清浄等これまで介助者の介助に頼っていた時と同様な後始末を、ボタン操作だけで自力で行うことが出来る。【００２２】  用便を自力で完了でき、汚物や局部を他人の目に晒す事なく用が足せるので、個人としての尊厳を保つことが出来る。【００２３】  汚物タンク内の負圧により排泄物や水混合物を吸引するので、配管途中での排泄物の滞留の心配がない。【００２４】  消臭力や殺菌力に優れたオゾンを散気したり、オゾン水で洗浄する事により臭いや雑菌の発生の心配がない。【００２５】  さらに、汚物タンクに溜まった汚物は固形物ではないため、カートリッジタンク内の汚物の処理や清掃が簡単である。
【発明を実施するための最良の形態】
【００２６】  本発明は上述した従来品に於ける諸問題を解決するために、下記のごとくに構成したものである。【００２７】  車椅子の座面に便座を設け、当該便座中央部に繭を縦割りにした様の便流部を取付ける。【００２８】  当該便流部の前面には出水口を設け、また後部底には排便口を取付ける。【００２９】  上記便流部前側には前方に回動可能に設けた局部カバーを取付ける。【００３０】  便流部側面には側面から中央部に回動し、先端部から出水及び送風自在に設けた洗浄管を取付ける。【００３１】  上記便座上面には便流部の形状に切り抜いた空隙を有するクッション材を装着する。【００３２】  便座下部に設けたベースプレート上には洗浄水タンク及び攪拌装置並びにブロワファンを設け、さらにカートリッジタンクを着脱自在に装着した汚物タンクを取付けてある。【００３３】  ベースプレート上にはさらにオゾン発生器と電源部を合わせて装着してある。【００３４】  洗浄タンクと出水口とを洗浄水パイプで接続し、当該タンクと洗浄管とをホースで接続する。【００３５】  排便口と攪拌装置とは汚水管で接続し、攪拌装置より配水管で汚物ケースに連結してある。【００３６】  汚物ケース上部に設けた吸気管をブロワファンに連結し当該ブロワファンの排気管を攪拌装置に連結してある。【００３７】  オゾン発生器はオゾンホースでブロワファンに繋いであり、また発生させたオゾンを曝気可能にオゾンホースで洗浄水タンクに連結する。
【実施例】
【００３８】  本発明の実施例の一例を図面を元に説明すると図１は本発明の分解説明図、図２はブロック図、図３は斜視図、図４は洗浄パイプの動作説明図である。【００３９】  車椅子本体１の座面位置に平板状の便座２を設け、当該便座２中央部には繭を縦に切り取った形状で、縦長で後方に向かって傾斜を設けた便流部３を取付ける。【００４０】  当該便流部３の前側には出水口４を設け、また後側の最底部には排便口５を取付けて、さらに便流部３最前側には、軸受６に挿着した回動アーム７で前後に回動可能に設けた局部カバー８を取付け、使用中の局部の保護及び目隠しを可能に設けてある。【００４１】  便流部３側面には、電動モーター９により矢印ａ−ａ’に回動可能で、且つ先端部から出水及び送風を自在に設けた洗浄パイプ１０を取付けて、使用時は便流部３内中央に回動させ、また未使用時には便座２内に格納可能に設けてある。【００４２】  上記便座２上面には便流部の形状に切り欠いた空隙１１を設け、且つ上述した局部カバー８の回動アーム７の動線部１２を切り抜いたクッション材１３を装着して座面１４を形成する。【００４３】  座面１４下部に設けたベースプレート１５上には、最前面には給水口１６を設けた洗浄水タンク１７を固着する。【００４４】  当該洗浄水タンク１７には電動ポンプ１８を有する洗浄水パイプ１９及び同様に電動ポンプ２０を有するホース２１を取付けてあり、またタンク１７内部にはオゾン曝気用の曝気管２２を設けてある。【００４５】  洗浄水タンク１７の後方には電源用のバッテリー２３を設置する。【００４６】  ベースプレート１５最後部にはカートリッジタンク２４で汚物の取り出しを容易に設け、且つカートリッジタンク２４を固定及び解放自在に形成した汚物タンク２５を取付けてある。【００４７】  洗浄タンク１７の洗浄水パイプ１９と出水口４とを接続し便流部３内に洗浄水を流せるように設け、また当該タンク１７のホース２１先端と洗浄パイプ１０の基部とを切換弁２６を介して接続し、洗浄パイプ１０の放水口２７より噴水可能に形成する。【００４８】  さらにエアポンプ２８に接続したエアホース２９を上記切換弁２６に取付けることで洗浄パイプ１０の放水口２７よりエアーを吹き出し、洗浄後の乾燥を可能に設けてある。【００４９】  排便口５下側に取付けた攪拌装置３０と排便口５とを汚水管３１で接続し、また該攪拌装置３０と汚物タンク２５とを排水管３２で接続して、攪拌装置３０より排出された汚物を汚物タンク２５に導入可能に設ける。【００５０】  ベースプレート１５上部に設けたブロワファン３３の吸気管３４を汚物タンク２５上部に連結し、また当該ブロワファン３３の排気管３５を攪拌装置３０に連結して汚物タンク２５内の空気を攪拌装置３０内に還元可能に設ける。【００５１】  ブロワファン３３下側に装着したオゾン発生器３６のオゾン供給パイプ３７の一方をブロワファン３３に繋いで当該ファン３３の内部にオゾンを供給可能に設けあり、またオゾンホース３８を洗浄水タンク１７内部の曝気管２２に連結し、オゾンを洗浄水内に曝気してオゾン水を生成可能に設けてある。【００５２】  ベースプレート１５側面に設けた電源部３９には制御器４０や充電器４１あるいは電源コード４２用のコードリール４３などを装着してあり、制御器４０と各ポンプ１８，２０や切換弁２６、エアポンプ２８、電動モーター９及び攪拌装置３０やブロワファン３３並びにオゾン発生器３６などを配線で繋いで、車椅子本体１の肘掛け４４に取付けた操作パネル４５を操作することで各機器を操作可能に設けたものである。
【産業上の利用可能性】
【００５３】  本発明は上述したごとくこれまで介助者の不足などの問題で中々単独で外出できなかった車椅子を通常生活の必需品として利用する障害者や高齢者の排泄時の問題を解決し、単独での用便を可能にしたものである。【００５４】  従って障害を持つ人々の社会参加を推し進める上で非常に有意義な機器を提供可能である。【００５５】  なお、本発明に於ける電気の回路については図示省略する。
【図面の簡単な説明】
【００５６】
【図１】分解説明図
【図２】ブロック図
【図３】斜視図
【図４】洗浄パイプの動作説明図
【符号の説明】
【００５７】１          車椅子本体２          便座３          便流部４          出水口５          排便口６          軸受７          回動アーム８          局部カバー９          電動モーター１０        洗浄パイプ１１        空隙１２        動線部１３        クッション材１４        座面１５        ベースプレート１６        給水口１７        洗浄水タンク１８        電動ポンプ１９        洗浄水パイプ２０        電動ポンプ２１        ホース２２        曝気管２３        バッテリー２４        カートリッジタンク２５        汚物タンク２６        切換弁２７        放水口２８        エアポンプ２９        エアホース３０        攪拌装置３１        汚水管３２        排水管３３        ブロワファン３４        吸気管３５        排気管３６        オゾン発生器３７        オゾン供給パイプ３８        オゾンホース３９        電源部４０        制御器４１        充電器４２        電源コード４３        コードリール４４        肘掛け４５        操作パネル
【図１】
2009090071.tif 000003
【図２】
2009090071.tif 000004
【図３】
2009090071.tif 000005
【図４】
2009090071.tif 000006